(57)【要約】【課題】所望する言語で提供されている番組を容易に特定する。【解決手段】デジタルテレビジョン放送受信装置１００は、提供されている言語情報を含めることが可能な、デジタル放送の番組情報を、受信するチューナ３０２と、受信した番組情報を、言語情報を含めて記憶する不揮発性メモリ３３３と、言語情報の選択を受け付ける選択受付部４０１と、不揮発性メモリ３３３に対して、選択受付部４０１が選択を受け付けた言語情報が含まれている番組情報を検索する検索部４０２と、を備えることを特徴とする。【選択図】図４
2010206306.tif 000002
【特許請求の範囲】
【請求項１】
提供されている言語情報を含めることが可能な、デジタル放送の番組情報を、受信するチューナと、
前記チューナが受信した前記番組情報を、前記言語情報を含めて記憶する記憶手段と、
前記言語情報の選択を受け付ける選択受付手段と、
前記記憶手段に対して、前記選択受付手段が選択を受け付けた前記言語情報が含まれている前記番組情報を検索する検索手段と、
を備えることを特徴とする放送受信装置。
【請求項２】
前記チューナが受信する前記番組情報は、さらに、多言語で提供していることを示す多言語記号情報を含めることが可能であり、
前記選択受付手段は、さらに、前記多言語記号情報の選択を受け付け、
前記検索手段は、さらに、選択を受け付けた前記多言語記号情報が含まれている前記番組情報を検索すること、
を特徴とする請求項１に記載の放送受信装置。
【請求項３】
前記チューナが受信する前記番組情報には、提供されている音声についての前記言語情報が含まれていること、
を特徴とする請求項１又は２に記載の放送受信装置。
【請求項４】
前記チューナが受信する前記番組情報は、提供されている字幕についての前記言語情報が含まれていること、
を特徴とする請求項１又は２に記載の放送受信装置。
【請求項５】
前記検索手段で検索された前記番組情報を表示する表示手段を、さらに備えることを特徴とする請求項１乃至４のいずれか一つに記載の放送受信装置。
【請求項６】
チューナが、提供されている言語情報を含めることが可能な、デジタル放送の番組情報を受信する受信ステップと、
受信した前記番組情報を、前記言語情報を含めて記憶手段に記憶する記憶ステップと、
選択受付手段が、前記言語情報の選択を受け付ける選択受付ステップと、
検索手段が、前記記憶手段に対して、前記選択受付ステップが選択を受け付けた前記言語情報が含まれている前記番組情報を検索する検索ステップと、
を有することを特徴とする番組検索方法。
【発明の詳細な説明】
【技術分野】
【０００１】
本発明は、提供されている番組の検索を行う放送受信装置、及び番組検索方法に関する。
【背景技術】
【０００２】
近年、テレビジョン放送のデジタル化が推進されている。例えば、日本国内においては、ＢＳ（Broadcasting satellite）デジタル放送、及び１１０度ＣＳ（Communication satellite）デジタル放送等の衛星デジタル放送のみならず、地上波においても地上デジタル放送による、番組の提供が開始されている。
【０００３】
そこで、近年の放送受信装置では、上述した複数の放送種別の信号を受信できるように、各放送種別に対応したチューナを内蔵する傾向にある。これにより、ユーザは、所望の放送種別の所望のチャンネル及び番組を視聴することが可能となった。
【０００４】
さらに、デジタル放送では、放送受信装置に対して１週間分の番組情報を提供している。そこで、放送受信装置は、記憶手段に提供された番組情報を記憶することで、番組表としての閲覧や、番組情報に基づく番組の予約を行うことが可能となる。
【０００５】
ところで、デジタル放送においては、複数言語による音声又は字幕を提供することが可能である。そこで、所望する言語による音声や字幕による閲覧を希望するユーザが存在すると考えられる。そこで、ユーザが所望する言語で提供された番組を特定する手法として、特許文献１の記載された技術がある。特許文献１には、番組を放送している局を、提供している言語毎に分けて表示する技術が提供されている。
【先行技術文献】
【特許文献】
【０００６】
【特許文献１】特開２００７−２０１９１２号公報
【発明の概要】
【発明が解決しようとする課題】
【０００７】
しかしながら、特許文献１に記載された発明では、言語毎に現在放送中の番組を分類することで、現在放送中の番組で用いられている言語を判断できるが、所望する言語で放送及び放送予定である番組を特定するのは難しいという問題が生じる。このため、例えば、所望する言語でこれから放送される番組を認識できず、予約録画できないということも考えられる。
【０００８】
本発明は、上記に鑑みてなされたものであって、所望の言語で提供される番組を容易に特定できる放送受信装置、及び番組検索方法を提供する。
【課題を解決するための手段】
【０００９】
上述した課題を解決し、目的を達成するために、本発明にかかる放送受信装置は、提供されている言語情報を含めることが可能な、デジタル放送の番組情報を、受信するチューナと、前記チューナが受信した前記番組情報を、前記言語情報を含めて記憶する記憶手段と、前記言語情報の選択を受け付ける選択受付手段と、前記記憶手段に対して、前記選択受付手段が選択を受け付けた前記言語情報が含まれている前記番組情報を検索する検索手段と、を備えることを特徴とする。
【００１０】
また、本発明にかかる番組検索方法は、チューナが、提供されている言語情報を含めることが可能な、デジタル放送の番組情報を受信する受信ステップと、受信した前記番組情報を、前記言語情報を含めて記憶手段に記憶する記憶ステップと、選択受付手段が、前記言語情報の選択を受け付ける選択受付ステップと、検索手段が、前記記憶手段に対して、前記選択受付ステップが選択を受け付けた前記言語情報が含まれている前記番組情報を検索する検索ステップと、を有することを特徴とする。
【発明の効果】
【００１１】
本発明によれば、ユーザが所望する言語で提供されている番組を容易に特定できるため、利便性が向上するという効果を奏する。
【図面の簡単な説明】
【００１２】
【図１】図１は、第１の実施の形態で説明するデジタルテレビジョン放送受信装置１００の正面側の外観を示す図である。
【図２】図２は、リモートコントローラの外観を示す図である。
【図３】図３は、デジタルテレビジョン放送受信装置の主要な信号処理系を示すブロック図である。
【図４】図４は、デジタルテレビジョン放送受信装置で番組情報を検索するためのソフトウェア構成を示すブロック図である。
【図５】図５は、デジタルテレビジョン放送受信装置が表示する番組表の画面例を示す図である。
【図６】図６は、デジタルテレビジョン放送受信装置が表示する番組検索の画面例を示す図である。
【図７】図７は、デジタルテレビジョン放送受信装置が表示する番組記号の一覧画面の例を示す図である。
【図８】図８は、デジタルテレビジョン放送受信装置の表示部が再度表示した番組検索画面の例を示す図である。
【図９】図９は、デジタルテレビジョン放送受信装置の表示部が表示した音声言語種別の選択画面の例を示す図である。
【図１０】図１０は、デジタルテレビジョン放送受信装置の検索画面で言語種別の選択を受け付けた場合に表示する、言語種別の選択画面例を示した図である。
【図１１】図１１は、言語種別を選択する際の画面遷移を示す説明図である。
【図１２】図１２は、デジタルテレビジョン放送受信装置における言語種別に基づく検索の処理手順を示すフローチャートである。
【図１３】図１３は、デジタルテレビジョン放送受信装置における番組記号に基づく検索条件の設定手順を示すフローチャートである。
【図１４】図１４は、デジタルテレビジョン放送受信装置における言語種別に基づく検索条件の設定手順を示すフローチャートである。
【発明を実施するための形態】
【００１３】
以下に添付図面を参照して、この発明にかかる放送受信装置、及び番組検索方法の最良な実施の形態を詳細に説明する。
【００１４】
（第１の実施の形態）
図１は、第１の実施の形態で説明するデジタルテレビジョン放送受信装置１００の正面側の外観を示す図である。
【００１５】
図１に示すように、デジタルテレビジョン放送受信装置１００は、主として、装置本体となるほぼ四角形状に形成された薄型のキャビネット１１と、当該キャビネット１１を起立させて支持するスタンド１２と、から構成されている。
【００１６】
キャビネット１１は、平面型の液晶表示パネル１３と、右側スピーカ１４ａと、左側スピーカ１４ｂと、状態表示部１５と、リモートコントローラから送信される操作情報を受信する受光部１６と、を備えている。状態表示部１５は、電源の有無などをＬＣＤによる発光で表示する。
【００１７】
図２には、リモートコントローラ２００の外観を示す図である。図２に示すリモートコントローラ２００は、主として、電源キー２０１、入力切換キー２０２、衛星デジタル放送チャンネルのダイレクト選局キー２０３、地上波放送チャンネルのダイレクト選局キー２１８、カーソルキー２０４、決定キー２０５、番組表キー２０６、ページ切換キー２０７、ナビゲーションキー２０８、戻るキー２０９、終了キー２１０、青，赤，緑，黄のカラーキー２１１、地デジー地アナ切替キー２１２、ＢＳ−ＣＳ切替キー２１３、二画面表示切替キー２１４、チャンネルアップダウンキー２１５、音量調整キー２１６、発光部２１７等を備えている。
【００１８】
そして、当該リモートコントローラ２００の発光部２１７からの送信される操作情報を、デジタルテレビジョン放送受信装置１００の受光部１６が受光することで、デジタルテレビジョン放送受信装置１００に対して様々な操作を行うことができる。例えば、番組表の表示や、番組情報の検索などのさまざまな操作を行うことができる。番組情報の検索としては、例えば言語種別による検索がある。
【００１９】
続いて、デジタルテレビジョン放送受信装置１００のハードウェア構成について説明する。図３は、デジタルテレビジョン放送受信装置１００の主要な信号処理系を示すブロック図である。
【００２０】
ＢＳ／ＣＳデジタル放送受信用のアンテナ３０１で受信した衛星デジタルテレビジョン放送信号は、入力端子３１０を介して衛星デジタル放送用のチューナ３０２に供給される。
【００２１】
チューナ３０２は、制御部３１９からの制御信号により所望のチャネルの放送信号を選局し、この選局された放送信号をＰＳＫ（Phase Shift Keying）復調器３０３に出力する。
【００２２】
ＰＳＫ復調器３０３は、制御部３１９からの制御信号により、チューナ３０２で選局された放送信号を復調し、所望の番組を含んだトランスポートストリーム（ＴＳ）を得て、ＴＳ復号器３０４に出力する。
【００２３】
ＴＳ復号器３０４は、制御部３１９からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部３０９内のＳＴＤバッファ（図示せず）へ出力する。また、ＴＳ復号器３０４は、デジタル放送により送られているセクション情報を信号処理部３０９内のセクション処理部（図示せず）へ出力する。
【００２４】
一方、地上波放送受信用のアンテナ３０５で受信した地上デジタルテレビジョン放送信号は、入力端子３１１を介して地上デジタル放送用のチューナ３０６に供給される。
【００２５】
チューナ３０６は、制御部３１９からの制御信号により所望のチャネルの放送信号を選局し、この選局された放送信号をＯＦＤＭ（Orthogonal Frequency Division Multiplexing）復調器３０７に出力する。
【００２６】
ＯＦＤＭ復調器３０７は、制御部３１９からの制御信号により、チューナ３０６で選局された放送信号を復調し、所望の番組を含んだトランスポートストリームを得て、ＴＳ復号器３０８に出力する。
【００２７】
ＴＳ復号器３０８は、制御部３１９からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部３０９内のＳＴＤバッファへ出力する。また、ＴＳ復号器３０８は、デジタル放送により送られているセクション情報を信号処理部３０９内のセクション処理部へ出力する。
【００２８】
ここで、上記信号処理部３０９は、テレビ視聴時には、ＴＳ復号器３０４およびＴＳ復号器３０８からそれぞれ供給されたデジタルの映像信号及び音声信号に対して、選択的に所定のデジタル信号処理を施し、グラフィック処理部３１５及び音声処理部３１２に出力している。
【００２９】
また、信号処理部３０９は、コンテンツ再生時には、制御部３１９から入力されたコンテンツの再生信号を選択し、所定のデジタル信号処理を実施し、グラフィック処理部３１５及び音声処理部３１２に出力している。
【００３０】
制御部３１９には、信号処理部３０９から、番組を取得するための各種データや電子番組ガイド（ＥＰＧ）情報，番組属性情報（番組ジャンル等），映像、音声、字幕情報等（サービス情報、ＳＩ(Service Information)）が入力されている。そして、入力された電子番組ガイド（ＥＰＧ）情報，番組属性情報（番組ジャンル等）は、不揮発性メモリ３３３に格納される。この不揮発性メモリ３３３に格納された情報は、番組表の表示や、番組の検索などに用いられる。
【００３１】
ＳＩの中のＥＩＴ(Event  Information  Table)には、音声ＥＳ(Elementary  Stream)及び字幕ＥＳ関連情報も含まれている。デジタルテレビジョン放送受信装置１００は、受信した番組関連情報から音声ＥＳ及び字幕ＥＳの情報を用いて検索処理を行い、その結果を表示することが可能となる。
【００３２】
制御部３１９は、これら入力された情報からＥＰＧ，字幕を表示するため画像生成処理を行い、この生成した画像情報をグラフィック処理部３１５へ出力する。
【００３３】
また、この制御部３１９は、番組録画および番組予約録画を制御する機能を有し、番組予約受付時には、液晶表示パネル１３に電子番組ガイド（ＥＰＧ）情報を表示し、リモートコントローラ２００等を介したユーザ入力により予約内容を、不揮発性メモリ３３３に設定する。そして、設定された時刻に予約番組を録画するようチューナ３０２，３０６、ＰＳＫ復調器３０３，ＯＦＤＭ復調器３０７、ＴＳ復号器３０４，３０８および信号処理部３０９を制御する。
【００３４】
セクション処理部は、ＴＳ復号器３０４（３０８）から入力されたセクション情報の中から、番組を取得するための各種データや電子番組ガイド（ＥＰＧ）情報，番組属性情報（番組ジャンル等），字幕情報等（サービス情報、ＳＩやＰＳＩ）を制御部３１９へ出力する。
【００３５】
また、番組録画時には、制御部３１９は、ＴＳ復号器３０４およびＴＳ復号器３０８からそれぞれ供給されたデジタルの映像信号及び音声信号に対して、選択的に所定のデジタル信号処理を施した信号を、記録装置（例えば、ＨＤＤ）３２５に記録している。また、信号処理部３０９は、録画番組再生時には、制御部３１９を介して記録装置（例えば、ＨＤＤ）３２５から読み出された録画番組のデータに、所定のデジタル信号処理を施し、グラフィック処理部３１５及び音声処理部３１２に出力している。
【００３６】
グラフィック処理部３１５は、（１）信号処理部３０９内のＡＶデコーダ（図示せず）から供給されるデジタルの映像信号と、（２）ＯＳＤ（On Screen Display）信号生成部３１６で生成されるＯＳＤ信号と、（３）データ放送による画像データと、（４）制御部３１９により生成されたＥＰＧ，字幕信号とを合成して映像処理部３１７へ出力する機能を有する。また、字幕放送による字幕を表示するとき、グラフィック処理部３１５は、制御部３１９からの制御による字幕情報に基づき、映像信号上に字幕情報を重畳する処理を行う。
【００３７】
グラフィック処理部３１５から出力されたデジタルの映像信号は、映像処理部３１７に供給される。この映像処理部３１７は、入力されたデジタルの映像信号を、液晶表示パネル１３で表示可能なアナログ映像信号に変換した後、液晶表示パネル１３に出力して映像表示させる。また、出力端子３２６を介して外部の表示装置（図示せず）に、当該表示装置で表示可能なフォーマットの映像信号を出力して映像表示させることもできる。
【００３８】
また、上記音声処理部３１２は、入力されたデジタルの音声信号を、スピーカ３１３で再生可能なアナログ音声信号に変換した後、スピーカ３１３に出力して音声を再生させる。また、出力端子３１４を介して外部の音声出力装置（図示せず）に、当該音声出力装置で再生可能なフォーマットの音声信号を出力して音声再生させることもできる。
【００３９】
ここで、このデジタルテレビジョン放送受信装置１００は、上記した各種の受信動作を含むその全ての動作を制御部３１９によって統括的に制御されている。この制御部３１９は、ＣＰＵ（Central  Processing  Unit）等を内蔵しており、リモートコントローラ２００等から送出された操作情報を、受光部１６を介して受信し、その操作内容（例えば、チャネル切換操作など）が反映されるように各部をそれぞれ制御している。
【００４０】
この場合、制御部３１９は、主として、そのＣＰＵが実行する制御プログラムを格納したＲＯＭ（Read  Only  Memory）３３１と、当該ＣＰＵに作業エリアを提供するＲＡＭ（Random  Access  Memory）３３２と、各種の設定情報、制御情報及び番組情報等が格納されるフラッシュメモリなどの不揮発性メモリ３３３とを利用している。なお、制御プログラムには、番組情報を検索する番組情報検索プログラムも含まれている。
【００４１】
また、上記制御部３１９は、カード  Ｉ／Ｆ３２２を介してカードホルダー３２３に接続されている。これにより、制御部３１９は、カードホルダー３２３に接続された各種メモリカード３２４と、カード  Ｉ／Ｆ３２２を介して情報伝送することができる。
【００４２】
また、上記制御部３１９は、操作部３２０に接続されている。これにより、制御部３１９は、操作部３２０により入力された操作情報を受け付けることができる。
【００４３】
ここで、番組情報を取得する手法について述べる。現在、デジタルテレビジョン放送受像器やデジタルテレビジョン放送録画装置等のデジタルテレビジョン放送受信装置の多くは、電子番組ガイド（EPG:Electronic Program Guide）の機能を備えている。このＥＰＧ機能のために、デジタルテレビジョン放送受信装置は、デジタルテレビジョン放送信号に含まれるイベント情報テーブル(EIT:Event Information Table)から、１週間分の番組情報（この番組情報には、番組の開始時間、継続時間、番組のジャンル、音声言語、字幕言語等の情報が含まれる）を取得する。
【００４４】
ＢＳ放送や１１０度ＣＳ放送ではいずれかのチャネルを選局することで全チャンネル分の番組情報を取得することができる。地上デジタル放送ではチャンネル毎の番組情報の取得となるため、全チャンネル分の番組情報を取得するには一旦全チャンネルを選局する必要がある。そのため、１個のチューナのみの受信装置においてはユーザが手動で全チャンネルの選局操作を行ったり、ユーザが番組を視聴していない期間に自動で全チャンネル選局を行ったりする必要がある。複数のチューナをもつ受信装置では、ユーザの番組視聴に使われていないチューナを利用して全チャンネルの選局を行い番組情報を取得することが可能である。なお、１週間分の番組情報を記憶するのに必要なメモリサイズは約３Ｍｂｙｔｅｓとなる。
【００４５】
そして、取得した番組情報は、不揮発性メモリ３３３に格納される。その際、番組情報には、番組の属性情報も含まれている。番組の属性情報としては、例えば、番組の開始時間、継続時間、番組のジャンル、音声言語、字幕言語等が含まれる。
【００４６】
そして、本実施の形態にかかるデジタルテレビジョン放送受信装置１００では、不揮発性メモリ３３３に格納された番組情報から得られる番組の言語情報を利用するので、ユーザが所望する言語を用いた音声又は字幕で提供されている番組を特定し、当該番組の予約や参照を行うことが可能となる。
【００４７】
図４は、デジタルテレビジョン放送受信装置１００で番組情報を検索するためのソフトウェア構成（番組情報検索プログラム）を示すブロック図である。図４に示すように、デジタルテレビジョン放送受信装置１００では、不揮発性メモリ３３３に記憶された番組情報を用いて番組検索プログラム４００が様々な表示処理を行う。
【００４８】
不揮発性メモリ３３３に記憶されている、番組の属性情報において、検索に用いられる属性情報が存在する。この検索条件として設定可能な属性情報としては、例えば、番組記号がある。番組記号とは、各番組がどのような番組であるのかを示す記号情報とする。番組記号の例としては、字幕の有無を示す番組記号や、二カ国語を示す番組記号、さらには音声多重を示す番組記号等とする。
【００４９】
そして本実施の形態においては、さらに、検索に用いられる属性情報としては、音声の言語種別を示す音声言語情報や、字幕の言語種別を示す字幕言語情報も存在する。このように、本実施の形態にかかるデジタルテレビジョン放送受信装置１００では、番組記号や、言語情報を検索条件として設定することが可能となった。
【００５０】
図４に示すように、不揮発性メモリ３３３は、番組情報を記憶している。当該情報番組は、チューナ３０２が受信した番組情報であり、様々な属性情報と共に不揮発性メモリ３３３に記憶される。
【００５１】
デジタルテレビジョン放送表示装置１００は、ＡＳＩＣやＣＰＵ等の含む処理部３１９、デジタルテレビジョン放送表示装置１００において番組の表示を行う番組表示プログラム４００が格納されたＲＯＭ３３１や当該処理装置のワーク領域となるＲＡＭ３３２等の記憶手段を備えており、当該処理部３１９とＲＯＭ３３１に格納されたプログラムとの協働により、選択受付部４０１と、検索部４０２と、表示部４０３との各機能部を実現する。
【００５２】
選択受付部４０１は、利用者からのリモートコントローラ２００等を介して入力された操作情報から、様々な検索条件や検索の実行の選択を受け付ける。検索条件の例としては、例えば検索に用いる言語情報等がある。
【００５３】
本実施の形態にいて、検索に用いる言語情報として、番組で出力される音声の言語種別を示す音声言語情報や、番組放送中に表示される字幕の字幕言語情報等がある。他にもデータ放送など様々な言語情報を検索条件として選択を受け付けても良い。
【００５４】
また、選択受付部４０１は、番組が多言語であることを示す番組記号の選択を受け付ける。当該番組記号の例としては、例えば、二カ国語を示す番組記号や、多重音声であることを示す番組記号等を選択対象とすることができる。
【００５５】
検索部４０２は、不揮発性メモリ３３３に記憶されている番組情報に対して、選択受付部４０１が選択を受け付けた検索条件に従って、番組情報を検索する。選択を受け付けた検索条件としては、例えば、音声言語情報や、字幕言語情報等がある。具体的には、検索部４０２は、選択を受け付けた言語を示す文字列と、各番組のＥＩＴ記述に含まれる言語名を示す文字列と、を比較し、一致する文字列が含まれる番組を検索結果として抽出する。
【００５６】
また、検索部４０２は、選択受付部４０１が選択を受け付けた番組記号が設定されている番組情報の検索を行うことができる。検索対象となる番組記号としては例えば、二カ国語を示す番組記号や、多重音声であることを示す番組記号などが考えられる。
【００５７】
表示部４０３は、検索部４０２で検索された番組情報を表示する。表示先としては、例えば、液晶表示パネル１３等とする。
【００５８】
次に、番組情報の検索手法について具体的に説明する。図５は、デジタルテレビジョン放送受信装置１００が表示する番組表の画面例を示す図である。図５に示す番組情報においては、番組欄毎に、上述した番組の属性情報が表示されている。そして、デジタルテレビジョン放送受信装置１００が当該番組表を表示しているときに、リモートコントローラ２００から所定の操作情報を受信した場合に、検索画面を表示する。操作情報としては例えば、緑のカラーキー２１１が押下された場合などとする。
【００５９】
図６は、デジタルテレビジョン放送受信装置１００が表示する番組検索の画面例を示す図である。図６に示すように番組検索画面においては、ジャンル、キーワード、日付、チャンネル、番組記号６０１、言語種別６０２などを検索条件として設定することができる。検索条件が選択された後、リモートコントローラ２００から検索開始ボタン６０３の押下を受け付けた場合に、検索部４０２が、選択された検索条件に従って、番組の検索を行う。また、選択受付部４０１が、リモートコントローラ２００を介して、番組記号６０１の選択を受け付けた場合に、表示部４０３は、番組記号の一覧画面を表示する。
【００６０】
図７は、デジタルテレビジョン放送受信装置１００が表示する番組記号の一覧画面の例を示す図である。図７に示すように、当該一覧画面では、検索条件として設定可能な番組記号が表示される。そして、ユーザは当該一覧画面から、リモートコントローラ２００を介して、番組記号を選択することができる。選択する番組記号によっては、複数言語で提供されている番組等を絞り込むことができる。例えば、選択受付部４０１が、「二カ国語放送」７０１の選択を受け付けた場合に、検索部４０２が、二カ国語放送の番組情報を検索する。他には、音声多重放送７０２や、字幕放送７０３などの選択を受け付けることで、複数言語で提供されている番組を検索することができる。
【００６１】
そして、選択受付部４０１が、番組記号の選択を受け付けた後、表示部４０３は、再び番組検索の画面を表示する。図８は、表示部４０３が再度表示した番組検索画面の例を示す図である。図８に示す画面例においては、番組記号８０１には、二カ国語放送を示す番組記号が設定されている。本実施の形態においては、二カ国語放送を示す番組記号が設定されている場合には、当該音声言語種別の選択を受け付けるための欄８０２が追加表示される。当該音声言語種別８０２において、言語情報を選択することで、二カ国語放送で所望する言語の音声が提供されている番組を検索することが可能となる。当該画面例で、選択受付部４０１が、リモートコントローラ２００を介して、音声言語種別８０２の選択を受け付けた場合に、表示部４０３は、言語種別の一覧画面を表示する。
【００６２】
図９は、表示部４０３が表示した音声言語種別の選択画面の例を示す図である。図９に示す画面例においては、選択受付部４０１が、リモートコントローラ２００を介して、９種類ある言語種別から、所望する言語の選択を受け付ける。当該言語の選択を受け付けた場合に、表示部４０３は、再び検索画面を表示し、その後、検索部４０２による検索が開始される。
【００６３】
また、番組記号を選択せずとも、図６の検索画面で言語種別６０２の選択を受け付けた場合でも、言語の選択画面を表示できる。図１０は、図６の検索画面で言語種別６０２の選択を受け付けた場合に表示する、音声言語種別又は字幕言語種別の選択画面例を示した図である。図１０に示す画面例では、選択受付部４０１が、リモートコントローラ２００を介して、音声言語種別又は字幕言語種別の選択を受け付ける。
【００６４】
図１１は、言語種別を選択する場合の画面遷移を示す説明図である。図１１に示す例では、選択受付部４０１が、番組の言語種別検索画面１１０１で、音声言語種別１１１１の選択を受け付けた場合に、表示部４０３が、音声言語種別の一覧画面１１０２を表示する。
【００６５】
そして、選択受付部４０１が、音声言語種別の一覧画面１１０２で音声言語の選択を受け付けた場合に、表示部４０３が音声言語種別１１２１に選択された言語が設定された検索画面１１０３を表示する。その後、選択開始ボタン１１２２が押下された場合に、検索部４０２が、設定された音声言語が属性情報として含まれている番組情報を、不揮発性メモリ３３３から検索する。
【００６６】
その後、表示部４０３が、設定された音声言語が含まれている番組情報の一覧画面１１０４を表示する。
【００６７】
一方、選択受付部４０１が、番組の言語種別検索画面１１０１で、字幕言語種別１１１２の選択を受け付けた場合に、表示部４０３が、字幕言語種別の一覧画面１１０５を表示する。
【００６８】
そして、選択受付部４０１が、字幕言語種別の一覧画面１１０５で字幕言語の選択を受け付けた場合に、表示部４０３が字幕言語種別１１３１に選択された言語が設定された検索画面１１０６を表示する。その後、選択開始ボタン１１３２が押下された場合に、検索部４０２が、設定された字幕言語が属性情報として含まれている番組情報を、不揮発性メモリ３３３から検索する。
【００６９】
その後、表示部４０３が、設定された音声言語が属性情報として含まれている番組情報の一覧画面１１０７を表示する。
【００７０】
上述した画面遷移により、ユーザが所望する言語で提供されている番組を特定することができる。
【００７１】
次に、本実施の形態にかかるデジタルテレビジョン放送受信装置１００における言語種別に基づく検索の処理手順について説明する。図１２は、本実施の形態にかかるデジタルテレビジョン放送受信装置１００における上述した処理の手順を示すフローチャートである。
【００７２】
まず、リモートコントローラ２００からの操作情報に基づいて、表示部４０３は、図６に示すような検索画面を表示する（ステップＳ１２０１）。その後、選択受付部４０１が、番組記号６０１の選択を受け付けたか否か判別する（ステップＳ１２０２）。受け付けたと判別した場合（ステップＳ１２０２：Ｙｅｓ）、番組記号に基づく検索条件の設定が行われる（ステップＳ１２０３）。
【００７３】
一方、選択受付部４０１が、番組記号の選択を受け付けなかったと判別した場合（ステップＳ１２０２：Ｎｏ）、言語種別６０２の選択を受け付けたか否か判別する（ステップＳ１２０４）。受け付けたと判別した場合（ステップＳ１２０４：Ｙｅｓ）、言語種別に基づく検索条件の設定が行われる（ステップＳ１２０５）。
【００７４】
他の検索条件の設定については省略する。そして、検索条件の設定が行われた後、検索部４０２が、設定された検索条件に基づいて、不揮発性メモリ３３３に記憶された番組情報の検索を行う（ステップＳ１２０６）。つまり、設定された番組記号、音声言語種別又は字幕言語種別が、属性として含まれている番組情報の検索を、検索部４０２が行う。
【００７５】
その後、表示部４０３が、検索部４０２によって検索された番組情報の一覧を表示する（ステップＳ１２０７）。
【００７６】
上述した処理手順により、所望する番組記号が設定されている番組情報、又は（音声又は字幕）言語で提供されている番組情報を、ユーザが把握することができる。
【００７７】
次に、ステップＳ１２０３の番組記号に基づく検索条件の設定手順について説明する。図１３は、本実施の形態にかかるデジタルテレビジョン放送受信装置１００における上述した処理の手順を示すフローチャートである。まず、ステップＳ１２０２で番組記号６０１の選択を受け付けているものとする。
【００７８】
そして、表示部４０３は、番組記号の一覧画面を表示する（ステップＳ１３０１）。その後、選択受付部４０１が、リモートコントローラ２００を介して、一覧画面から番組記号の選択を受け付ける（ステップＳ１３０２）。
【００７９】
そして、番組記号の選択を受け付けた後、表示部４０３は、選択された番組記号が設定された検索画面を表示する（ステップＳ１３０３）。その際、言語種別に関する番組記号が選択されていれば、所望する言語種別の選択欄が追加表示される。例えば、番組記号として、二カ国語放送や音声多重放送が選択されている場合には、音声言語種別欄が表示され、番組記号として、字幕放送が選択されている場合には、字幕言語種別欄が表示されるものとする。
【００８０】
その後、選択受付部４０１が、追加表示された、音声又は字幕の言語種別の選択を受け付けたか否か判別する（ステップＳ１３０４）。受け付けなかったと判別した場合（ステップＳ１３０４：Ｎｏ）、番組記号に関する検索条件の設定を終了する。
【００８１】
一方、選択受付部４０１が、音声又は字幕の言語種別の選択を受け付けたと判別した場合（ステップＳ１３０４：Ｙｅｓ）、表示部４０３が、音声又は字幕言語の一覧画面を表示する（ステップＳ１３０５）。当該一覧画面としては、例えば、図９に示す画面などとする。
【００８２】
そして、選択受付部４０１は、一覧画面から、音声又は字幕の言語種別の選択を受け付ける（ステップＳ１３０６）。そして、選択を受け付けた音声又は字幕の言語種別は、検索条件として設定され、処理を終了する。
【００８３】
当該処理の後、再び検索画面に戻ることになる。当該検索画面は、番組記号と、当該番組記号に関連する言語種別との設定が既になされた状態で、表示部４０３により表示される。その後、検索開始ボタンの押下を受け付けることで、選択された番組記号と、言語種別が設定されている番組の検索が行われる。
【００８４】
次に、ステップＳ１２０５の言語種別に基づく検索条件の設定手順について説明する。図１４は、本実施の形態にかかるデジタルテレビジョン放送受信装置１００における上述した処理の手順を示すフローチャートである。まず、ステップＳ１２０４で言語種別の選択を受け付けているものとする。
【００８５】
そして、表示部４０３は、図１０に示すような言語種別の選択画面を表示する（ステップＳ１４０１）。
【００８６】
その次に、選択受付部４０１が、表示した選択画面から、音声言語種別又は字幕言語種別のいずれかの選択を受け付ける（ステップＳ１４０２）。
【００８７】
選択受付部４０１が、音声言語種別の選択を受け付けた場合に、表示部４０３は、図１１の符号１１０２に示すような音声言語の一覧画面を表示する（ステップＳ１４０３）。その後、選択受付部４０１が、音声言語種別の選択を受け付け（ステップＳ１４０４）、設定処理を終了する。
【００８８】
一方、ステップＳ１４０２で、選択受付部４０１が、字幕言語種別の選択を受け付けた場合に、表示部４０３は、図１１の符号１１０５に示すような字幕言語の一覧画面を表示する（ステップＳ１４０５）。その後、選択受付部４０１が、字幕言語種別の選択を受け付け（ステップＳ１４０６）、設定処理を終了する。
【００８９】
当該処理の後、再び検索画面に戻ることになる。当該検索画面は、音声又は字幕の言語種別の設定が既になされた状態で、表示部４０３により表示される。その後、検索開始ボタンの押下を受け付けることで、選択された言語種別が設定されている番組の検索が行われる。
【００９０】
そして、デジタルテレビジョン放送受信装置１００は、検索結果として表示された番組の一覧画面から、リモートコントローラ２００を介して、選択受付部４０１が、現在放送中の番組の選択を受け付けた場合には、表示部４０３が、当該番組を選局、表示する。また、選択を受け付けた番組がこれから放送する予定の番組の場合、予約動作に遷移する。なお、予約動作については従来の同様の処理を行うものとして、説明を省略する。
【００９１】
上述した処理手順により、ユーザが所望する音声言語又は字幕言語で提供される番組を検索することが可能となり、所望する音声及び字幕で提供されている番組の選局又は予約を行うことで、テレビの視聴機会が増加し、利便性が向上する。
【００９２】
または、語学の勉強及び知識を深めたい人が、語学勉強の対象である言語で音声又は字幕が提供されている番組を容易に探すことが可能になり、語学の勉強に基づく利便性の向上と、知識向上とを図ることができる。
【００９３】
また、近年デジタル地上放送、ＢＳ放送、及びＣＳ放送などにより多チャンネル化する傾向にあるため、所望する番組を見つけ出すことが困難になりつつある。そして、本実施の形態では、デジタルテレビジョン放送受信装置１００において、音声言語種別の検索機能及び字幕言語種別の検索機能を備えることで、現在放送中の番組から所望する番組を特定するまでの、多チャンネルからの選局、判断する手間を軽減するとともに、これから放送する予定の番組の検索及び予約が容易になる。これにより、ユーザが所望している番組の視聴が容易になる。
【００９４】
さらに、本実施の形態にかかるデジタルテレビジョン放送受信装置１００においては、音声言語種別の検索機能を装備することで、視聴したい言語で音声を提供している番組を視聴するために、リモートコントローラ２００を１番組毎に選局し、希望する音声の有無を確認する面倒な作業が無くなり、視聴したい音声言語を提供している番組の視聴が容易になった。
【００９５】
ところで、従来は、音声が複数存在するか否かが判断できるＯＳＤ表示やリスト表示はあったが、その表示手順は、番組表又は予約画面に切換えてからの確認作業を要していた。このため、複数音声の判別が困難であった。これに対し、本実施の形態においては、音声が複数存在するか否かを示す番組記号を検索条件として設定することができるので、容易に複数の言語で音声を提供している番組の特定が容易になった。さらに、当該番組記号の他に、音声の言語種別を検索条件として設定できるので、所望する言語種別で音声を提供している番組の特定が容易になった。
【００９６】
また、字幕放送についても同様に、本実施の形態にかかるデジタルテレビジョン放送受信装置１００においては、字幕言語種別の検索機能を装備することで、視聴したい言語で字幕を提供している番組を視聴するために、リモートコントローラ２００を１番組毎に選局し、希望する字幕の有無を確認する面倒な作業が無くなり、視聴したい字幕言語を提供している番組の視聴が容易になった。
【００９７】
さらに、従来から字幕が複数存在するか否かが判断できるＯＳＤ表示やリスト表示はあったが、その表示手順は、番組表又は予約画面に切換えてからの確認作業を要していた。このため、複数字幕の判別が困難であった。これに対し、本実施の形態においては、字幕が複数存在するか否かを示す番組記号を検索条件として設定することができるので、容易に複数の言語で字幕を提供している番組の特定が容易になった。さらに、当該番組記号の他に、字幕の言語種別を検索条件として設定できるので、所望する言語種別で字幕を提供している番組の特定が容易になった。
【００９８】
なお、本実施の形態にかかるデジタルテレビジョン放送受信装置１００で実行される番組情報検索プログラムは、ＲＯＭ等に予め組み込まれて提供される。
【００９９】
本実施の形態にかかるデジタルテレビジョン放送受信装置１００で実行される番組情報検索プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【０１００】
さらに、本実施の形態のデジタルテレビジョン放送受信装置１００で実行される番組情報検索プログラムを、インターネット等のネットワークに接続されたコンピュータ上に格納し、ネットワーク経由でダウンロードさせることにより提供するように構成しても良い。また、本実施の形態のデジタルテレビジョン放送受信装置１００で実行される番組情報検索プログラムをインターネット等のネットワーク経由で提供または配布するように構成しても良い。
【０１０１】
本実施の形態のデジタルテレビジョン放送受信装置１００で実行される番組情報検索プログラムは、上述した各部（選択受付部、検索部、表示部）を含むモジュール構成となっており、実際のハードウェアとしてはＣＰＵ（プロセッサ）が上記ＲＯＭから番組情報検索プログラムを読み出して実行することにより上記各部が主記憶装置上にロードされ、選択受付部、検索部、表示部が主記憶装置上に生成されるようになっている。
【０１０２】
なお、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【符号の説明】
【０１０３】
１００  デジタルテレビジョン放送受信装置
１１  キャビネット
１２  スタンド
１３  液晶表示パネル
１４ａ  右側スピーカ
１４ｂ  左側スピーカ
１５  状態表示部
１６  受光部
４０１  選択受付部
４０２  検索部
４０３  表示部
【図１】
2010206306.tif 000003
【図２】
2010206306.tif 000004
【図３】
2010206306.tif 000005
【図４】
2010206306.tif 000006
【図５】
2010206306.tif 000007
【図６】
2010206306.tif 000008
【図７】
2010206306.tif 000009
【図８】
2010206306.tif 000010
【図９】
2010206306.tif 000011
【図１０】
2010206306.tif 000012
【図１１】
2010206306.tif 000013
【図１２】
2010206306.tif 000014
【図１３】
2010206306.tif 000015
【図１４】
2010206306.tif 000016